(57)【要約】      （修正有）【課題】椅子の背もたれの形状を補完し、背中への接触面が背中の形状により合ったものにすることと、傾いた姿勢を正中位に戻しやすくすることが可能なクッションを提供する。【解決手段】クッション１は、流体の出入りを規制するバルブ１２、バルブ１２及び流体を透過させない材質によって内部の流体が漏えいしないように密閉された内部カバー、及び内部カバーの内部に設けられるスポンジを備える左右一対の内部部材と、縦断側面視が上下方向に長く平坦に形成され、正面視が、各頂点が丸みを帯びた横長の長方形の上側の長辺に下方に凹む第１凹部１３、及び下側の長辺に上側に凹む第２凹部１４を有する左右対称かつ上下非対称の形状をなし、内部部材が有するバルブ１２を通す穴部１１Ｈを有し、内部部材が内部に配置されるカバー１１と、を備える。【選択図】図１
0003204798.tif 000002
【実用新案登録請求の範囲】
【請求項１】
流体の出入りを規制するバルブ、前記バルブ及び前記流体を透過させない材質によって内部の前記流体が漏えいしないように密閉された内部カバー、及び前記内部カバーの内部に設けられるスポンジを備える左右一対の内部部材と、
縦断側面視が上下方向に長く平坦に形成され、正面視が、各頂点が丸みを帯びた横長の長方形の上側の長辺に下方に凹む第１凹部、及び下側の長辺に上側に凹む第２凹部を有する左右対称かつ上下非対称の形状をなし、前記内部部材が有する前記バルブを通す穴部を有し、前記内部部材が内部に配置されるカバーと、
を備えるクッション。
【請求項２】
前記カバーは、
前記カバーの左側に配置される左方カバーの背面中央部に上下方向に長く設けられる左滑り止め部と、
前記カバーの右側に配置される右方カバーの背面中央部に上下方向に長く設けられる右滑り止め部と、
をさらに備える請求項１に記載のクッション。
【請求項３】
前記スポンジは、
柔軟性のある樹脂を発泡させて形成したもの、柔軟性のある樹脂の糸を絡めあわせて形成したもの、海綿及び真綿を含む天然素材を原料として綿状に形成したもの、及び多孔質のゲルの中から１種類以上選択される請求項１又は請求項２に記載のクッション。
【考案の詳細な説明】
【技術分野】
【０００１】
本考案は、クッションに関する。
【背景技術】
【０００２】
事務用の椅子や自動車のシートに長時間座っていると背中が痛くなることがある。特に、椅子やシートの背も取れの形状が背中の形状と合っていない場合に背中の痛みは発生する。
【０００３】
しかし、背中と背もたれとの間にクッションを挟むと、クッションの厚みが適切でない場合には背中や腰が痛くなる場合がある。人間は長時間同じ姿勢をとれず、快適に座るためには姿勢や状況に合わせて緊張する筋肉の状態を変えることが重要である。従って、クッションは厚みが調整できる構造が必要である。
【０００４】
この点に関し、正面視が半円形状であり、断面が楔状であり、空気や水を通さない材質によって形成された袋カバーの内部にスポンジを配置し、袋カバーに設けられるノズルによって袋カバーの内部の空気や水の量を調節することができるクッションが提案されている。
【０００５】
しかし、この技術によっては、断面が楔形状であるため、背中と背もたれとの間にこのクッションを配置すると背中が傾いてしまい、長時間の使用によって背中や腰が痛くなる。
【先行技術文献】
【特許文献】
【０００６】
【特許文献１】特開平１０−８５０８３号公報
【考案の概要】
【考案が解決しようとする課題】
【０００７】
本考案が解決しようとする課題は、椅子の背もたれの形状を補完し、背中への接触面が背中の形状により合ったものにすることと、傾いた姿勢を正中位に戻しやすくすることが可能なクッションを提供することである。
【課題を解決するための手段】
【０００８】
上記課題を解決するために、本考案は流体の出入りを規制するバルブ、前記バルブ及び前記流体を透過させない材質によって内部の前記流体が漏えいしないように密閉された内部カバー、及び前記内部カバーの内部に設けられるスポンジを備える左右一対の内部部材と、縦断側面視が上下方向に長く平坦に形成され、正面視が、各頂点が丸みを帯びた横長の長方形の上側の長辺に下方に凹む第１凹部、及び下側の長辺に上側に凹む第２凹部を有する左右対称かつ上下非対称の形状をなし、前記内部部材が有する前記バルブを通す穴部を有し、前記内部部材が内部に配置されるカバーと、を備えるクッションを提供する。
【考案の効果】
【０００９】
本考案によれば、椅子の背もたれの形状を補完し、背中への接触面が背中の形状により合ったものにすることと、傾いた姿勢を正中位に戻しやすくすることが可能なクッションを提供することができる。
【図面の簡単な説明】
【００１０】
【図１】本考案の一実施形態に係るクッションの正面図。
【図２】図１に示すクッションのＡＡ線断面図。
【図３】図１のクッションの背面図。
【図４】内部部材の正面図。
【図５】クッションの使用状態の例を示す図。
【考案を実施するための形態】
【００１１】
以下、本考案の一実施形態にかかるクッション１を、図面を参照しながら説明する。
【００１２】
図１はクッション１の正面図、図２は図１に示すクッション１のＡＡ線断面図である。図１及び図２に示すように、クッション１は、カバー１１と、内部部材２と、メッシュ部１１Ｍと、を備える。
【００１３】
カバー１１は、縦断側面視（図１のＡＡ矢視）が上下方向に長く平坦に形成され、正面視が、各頂点が丸みを帯びた横長の長方形の上側の長辺に下方に凹む第１凹部１３、及び下側の長辺に上側に凹む第２凹部１４を有する左右対称の形状をなす。カバー１１はさらに、内部部材２が有するバルブ１２を通す穴部１１Ｈを有する。
【００１４】
第２凹部１４の凹む深さは第１凹部１３の凹む深さより深い。つまり、クッション１のカバー１１は左右対称であるが、上下非対称である。
【００１５】
内部部材２は、空気又は水などの流体の出入りを規制するバルブ１２と、カバー１１の形状を横方向の中央部において二分した形状をなし、バルブ１２及び流体を透過させない材質によって内部の流体が漏えいしないように密閉された内部カバー２１と、内部カバー２１の内部に設けられる発泡体などのスポンジ２２と、を備える。
【００１６】
内部部材２は表裏が対称な形状をなす。内部部材２は、カバー１１の左方カバー１１Ｌの内部及び右方カバー１１Ｒの内部にそれぞれ一つずつ配置される。
【００１７】
内部カバー２１は、可撓性のある樹脂、ゴム、又はこれらと繊維とを組み合わせた材質により形成される。
【００１８】
バルブ１２は、開いた場合に内部カバー２１の内部の流体の流出入が可能となり、閉じた場合に内部カバー２１の内部と外部とを気密に遮断する。
【００１９】
メッシュ部１１Ｍは、カバー１１の正面である背中に接触する面の全面を被覆する。
【００２０】
スポンジ２２は、例えば、ウレタンなどの柔軟性のある樹脂を発泡させたものや、真綿、海綿を含む天然素材を原料として綿状に形成したもの、柔軟性のある樹脂の糸を絡めあわせて形成したもの、及び多孔質のゲルの中から１種類以上選択して用いることができる。スポンジ２２は、力を印加すると弾性変形し、力の印加をやめると元の形状に復元する。
【００２１】
ユーザは、クッション１の厚さを薄くしたい場合には、先ずバルブ１２を緩め、次いでクッション１を手などによって押圧することによりスポンジ２２の内部の流体を内部カバー２１から排出する。そして、クッション１を押圧したまま、バルブ１２を閉める。
【００２２】
ユーザは、クッション１の厚さを元の厚さに戻したい場合には、クッション１を押圧しない状態においてバルブ１２を開ける。スポンジ２２はスポンジ２２の復元力によって元の形状に戻り、クッション１は元の厚さに戻る。
【００２３】
ユーザは、クッション１が独立した二つの内部部材２を有するため、クッション１の左方と右方とに別々に厚さ調整を行うことができる。
【００２４】
図３は、クッション１の背面図である。図３（ａ）は締結具１７によって右ベルト１８Ａ及び左ベルト１８Ｂを締結した状態を示す図であり、図３（ｂ）は締結具１７を外して右ベルト１８Ａと左ベルト１８Ｂを外した状態を示す図である。また、図４は内部部材２の正面図、図５はクッション１の使用状態の例を示す図である。
【００２５】
図３に示すように、クッション１は右側端に右ベルト１８Ａの端部をカバー１１に連結する右連結部１８Ｒと、左側端に左ベルト１８Ｂの端部をカバー１１に連結する左連結部１８Ｌと、左連結部１８Ｌに一端が連結された左ベルト１８Ｂと、右連結部１８Ｒに一端が連結された右ベルト１８Ａと、左ベルト１８Ｂと右ベルト１８Ａの他端にそれぞれ連結され、左ベルト１８Ｂと右ベルト１８Ａとを締結する締結具１７と、左方カバー１１Ｌの背面中央部に上下方向に長く設けられる左滑り止め部１６Ｌと、右方カバー１１Ｒの背面中央部に上下方向に長く設けられる右滑り止め部１６Ｒと、を備える。
【００２６】
締結具１７は、左ベルト１８Ｂと右ベルト１８Ａとを繋ぐものであればどのようなものであってもよい。締結具１７は、例えば一方の締結具を他方の締結具に押し込むことにより締結され、押し込まれた方の締結具の左右端を中心方向に押圧することにより締結が解除されるものであってもよい。締結具１７は、左ベルト１８Ｂ又は右ベルト１８Ａの長さを調節できるものであることがより望ましい。
【００２７】
右連結部１８Ｒ及び左連結部１８Ｌは円弧状のベルトを用いることができる。
【００２８】
左滑り止め部１６Ｌ及び右滑り止め部１６Ｒは、合成繊維によって織り上げられたベルトの表面にゴムなどのような滑り抵抗の高い樹脂が塗布されて形成される。
【００２９】
図４に示すように、内部部材２は、カバー１１の左方カバー１１Ｌ又は右方カバー１１Ｒの形状と対応する形状をなし、穴部１１Ｈに対応する位置にバルブ１２を有する。
【００３０】
図５に示すように、ユーザがクッション１を使用する場合、背中と椅子３の背もたれ３１の間にクッション１をメッシュ部１１Ｍが背中側、左滑り止め部１６Ｌ及び右滑り止め部１６Ｒが背もたれ３１側になるように配置する。
【００３１】
また、ユーザは左ベルト１８Ｂと右ベルト１８Ａとを背もたれ３１の後ろに回して締結具１７によって締結することにより、クッション１を椅子３の背もたれ３１に固定することもできる。
【００３２】
さらに、ユーザはクッション１の上下を反転させることにより、クッション１が背中に当たる部分を調節することができる。
【００３３】
以上述べたように、本実施形態のクッション１は、流体の出入りを規制するバルブ１２、バルブ１２及び流体を透過させない材質によって内部の流体が漏えいしないように密閉された内部カバー２１、及び内部カバー２１の内部に設けられるスポンジ２２を備える左右一対の内部部材２と、断面視が上下方向に長く平坦に形成され、正面視が、各頂点が丸みを帯びた横長の長方形の上側の長辺に下方に凹む第１凹部１３、及び下側の長辺に上側に凹む第２凹部１４を有する左右対称かつ上下非対称の形状をなし、内部部材２が有するバルブ１２を通す穴部１１Ｈを有し、内部部材２が内部に配置されるカバー１１と、を備える。
【００３４】
従って、椅子の背もたれの形状を補完し、背中への接触面が背中の形状により合ったものにすることと、傾いた姿勢を正中位に戻しやすくすることが可能なクッションを提供することが可能となるという効果がある。
【符号の説明】
【００３５】
１  クッション
２  内部部材
３  椅子
１１  カバー
１１Ｈ  穴部
１１Ｌ  左方カバー
１１Ｍ  メッシュ部
１１Ｒ  右方カバー
１２  バルブ
１３  第１凹部
１４  第２凹部
１６Ｌ  左滑り止め部
１６Ｒ  右滑り止め部
１７  締結具
１８Ａ  右ベルト
１８Ｂ  左ベルト
１８Ｌ  左連結部
１８Ｒ  右連結部
２１  内部カバー
２２  スポンジ
３１  背もたれ
【図１】
0003204798.tif 000003
【図２】
0003204798.tif 000004
【図３】
0003204798.tif 000005
【図４】
0003204798.tif 000006
【図５】
0003204798.tif 000007